(57)【要約】【課題】  ヒータ本体の高低位置を選択することができ、床や畳に座っている姿勢、イスに座っている姿勢、立っている姿勢のいずれの姿勢であっても採暖することができる電気ストーブを提供する。【解決手段】  ヒータと、ヒータより発生した熱を反射する反射板と、ヒータの前方に取付けたガードとを備えたヒータ本体と、ヒータ本体を着脱自在に係止するスタンドを有した電気ストーブにおいて、ヒータ本体は複数の高さに調節でき、ヒータ本体に電源コードを取付けたことにより使用者の希望する採暖位置に合わせてヒータ本体の高さを調節することができ、また直接ヒータ本体と商用電源とを接続する構成のため、スタンドと本体との電気的接続を考慮する必要がない。【選択図】  図１
2010025380.tif 000002
【特許請求の範囲】
【請求項１】
ヒータと、前記ヒータより発生した熱を反射する反射板と、前記ヒータの前方に取付けたガード部とを備えたヒータ本体と、前記ヒータ本体を着脱自在に係止するスタンドを有した電気ストーブにおいて、
前記ヒータ本体は複数の高さに調節でき、該ヒータ本体に電源コードを取付けたことを特徴とする電気ストーブ。
【請求項２】
前記ヒータ本体は、前記ヒータ本体単体で自立しない自立阻止手段を設けたことを特徴とする請求項１に記載の電気ストーブ。
【請求項３】
前記スタンドには、上部に取手が設けられており、該取手は、後ろ側に向かって延設されていて、前記ヒータ本体との間に隙間を設けたことを特徴とする請求項１に記載の電気ストーブ。
【請求項４】
前記ヒータ本体の背面板の上部とその下方に、左右一対で少なくとも２組の係止爪或いは切欠と、その下方に上下に配設した少なくとも２個のネジ孔を設け、一方、前記スタンドの支持板の上部に左右一対の切欠或いは係止爪と、その下方にネジ挿入孔を設け、前記係止爪と切欠を係止し、固定ネジをネジ挿入孔を介してネジ孔に螺合し３点支持したことを特徴とする請求項１乃至３に記載の電気ストーブ。
【請求項５】
前記ヒータ本体の背面板と前記スタンドの支持板とのそれぞれが金属により構成されていることを特徴とする請求項４に記載の電気ストーブ。
【発明の詳細な説明】
【技術分野】
【０００１】
本発明は、高さ調節のできる電気ストーブに関するものである。
【背景技術】
【０００２】
近年、ライフスタイルの変化により、床に座る姿勢とイスに座る姿勢が多くなってきた。即ちライフスタイルの変化にあわせて使用者が低位置で採暖する場合や、高位置で採暖する場合がでてきた。そこで、使用者の姿勢に合わせて、ヒータの位置を変更するように改良された。
【０００３】
その中で、具体的には棒状のヒータを畳や床面で採暖する水平状態となる横位置と、イスに座った姿勢や立った姿勢で採暖する垂直状態となる縦位置を選択している。（例えば特許文献１）
【特許文献１】特開平１−２６３４２７号公報
【発明の開示】
【発明が解決しようとする課題】
【０００４】
ところが、ヒータの位置が横位置と縦位置とを選択できるにも係らず実質的にはほとんど同じ高さ位置にある。ただし、輻射熱全体が、横位置の場合は上下方向に広がり、縦位置の場合は左右方向に放射される。前述のように、ヒータの位置が横位置と縦位置とで同じ高さ位置にあるため、いずれのヒータ位置でも実際に使用者が立った姿勢のときに体の上方が暖まらない。
【０００５】
本願はそれを改良するもので、ヒータの高さの高低を選択することができ、床や畳に座っている姿勢、イスに座っている姿勢、立っている姿勢のいずれの姿勢であっても体の広範囲にわたって採暖することができる電気ストーブを提供する。
【課題を解決するための手段】
【０００６】
本願は上記課題を解決するために、請求項１に記載の発明は、ヒータと、ヒータより発生した熱を反射する反射板と、ヒータの前方に取付けたガード部とを備えたヒータ本体と、ヒータ本体を着脱自在に係止するスタンドを有した電気ストーブにおいて、ヒータ本体は複数の高さに調節でき、ヒータ本体に電源コードを取付けたことを特徴とする。
【０００７】
請求項２に記載の発明は、請求項１に係る電気ストーブにおいてヒータ本体は、ヒータ本体単体で自立しない自立阻止手段を設けたことを特徴とする。
【０００８】
請求項３に記載の発明は、請求項１に係る電気ストーブにおいてスタンドには、上部に取手が設けられており、取手は後ろ側に向かって延設されていて、ヒータ本体との間に隙間を設けたことを特徴とする。
【０００９】
請求項４に記載の発明は、請求項１乃至３に係る電気ストーブにおいてヒータ本体の背面板の上部とその下方に、左右一対で少なくとも２組の係止爪或いは切欠と、その下方に上下に配設した少なくとも２個のネジ孔を設け、一方、スタンドの支持板の上部に左右一対の切欠或いは係止爪と、その下方にネジ挿入孔を設け、係止爪と切欠を係止し、固定ネジをネジ挿入孔を介してネジ孔に螺合し３点支持したことを特徴とする。
【００１０】
請求項５に記載の発明は、請求項４に係る電気ストーブにおいてヒータ本体の背面板とスタンドの支持板とのそれぞれが金属により構成されていることを特徴とする。
【発明の効果】
【００１１】
本発明は上記構成を備えることにより、以下のような優れた効果を奏する。すなわち、請求項１に記載の発明によれば、使用者の希望する採暖位置に合わせてヒータ本体の高さを調節することができ、また直接ヒータ本体と商用電源とを接続する構成のため、スタンドと本体との電気的接続を考慮する必要がない。
【００１２】
請求項２の発明によれば、ヒータ本体は単体で自立しないため、使用者が誤って使用した際にもヒータに通電されることがなく、安全性に優れている。
【００１３】
請求項３の発明によれば、スタンドには取手が設けられており、取手は後ろ側に向かって例えば反るように延設されていて、本体との間に隙間を設けているため、本体を運ぶ際に取手が持ちやすく、持ち運びしやすい。
【００１４】
請求項４の発明によれば、ヒータ本体とスタンドとが左右一対の係止爪及び固定ネジで３点支持されることで、ヒータ本体とスタンドとが、強固に支持され上下左右にぐらつくことがなく、安定する。また、３点支持する際に、ヒータ本体の側板の上部に左右一対の係止爪と切欠とで係止し、その下部の１箇所に、固定ネジで螺合することによりその固定位置が逆三角形を呈する位置で支持されることとなり、重心バランスがよく、なおかつ、ヒータ本体のスタンドへの固定に際して最初に上部左右一対の係止爪と切欠で仮固定されるため、下部１箇所の固定ネジによる螺合が簡単に行える。
【００１５】
請求項５の発明によれば、ヒータ本体のスタンドに係止される面及びスタンドのヒータ本体と係止される面がそれぞれ金属により構成されているため、熱に強く、また本体とスタンドとが強固に固定される。
【発明を実施するための最良の形態】
【００１６】
以下、図面を参照して本発明の最良の実施形態を説明する。ただし、以下に示す実施形態は、本発明の技術思想を具体化するための電気ストーブを例示するものであって、本発明をこの電気ストーブに特定することを意図するものではなく、特許請求の範囲に含まれるその他の実施形態のものも等しく適応し得るものである。
【実施例】
【００１７】
以下、本発明の実施例について、図面を参照しながら説明する。図１から図５において、１は電気ストーブ、２は高位置と低位置の２段階に高さ調節のできるヒータ本体（以下、本体）、３は本体２を固定するスタンドである。
【００１８】
４は本体２に設けられた遠赤外線ヒータ（以下、ヒータ）である。５はヒータ４の輻射熱を前方へ反射させる反射板である。６は本体２の前方に設けられ、使用者がヒータ４に触れることを阻止するガードである。７はスイッチで、ヒータ４の発熱量の切替を行う。
【００１９】
８は、本体２の底板で、下方に突出し自立阻止手段９を構成するダボが設けられており、本体２単体では自立しないようになっている。１０は本体２内に取付けた転倒スイッチで、本体２が倒れた際に、ヒータ４への通電をＯＦＦさせるものである。１１は電源コードで、本体の背面板１２ａの下部から導出し、スタンド３を介すことなく本体２へ電源を供給している。
【００２０】
１３ａ、１３ａ、１３ｂ、１３ｂは本体の背面板１２ａの上部とその下方に、左右一対で２組設けられた切欠で、スタンド３に本体２を載置する際に、後述するスタンド３の係止爪１４ａ、１４ａが挿入係止される。１５ａ、１５ｂはネジ孔で、本体２とスタンド３を固定させるために、上述の切欠１３ａ、・・、１３ｂと係止爪１４ａ、１４ａとが係止された後に、固定ネジ１７をスタンド３に設けられているネジ挿入孔１６を介して螺合固定される。本体２とスタンド３とは切欠１３ａ、・・、１３ｂと固定ネジ１７により逆三角形を呈する位置で３点支持されている。
【００２１】
１８はスタンド３の立垂部１９上部に設けられた取手である。取手１８は、本体２がスタンド３に螺合固定されている際にも持ちやすいように上部が後方に反るように延設した形状をしている。スタンド３の立垂部１９の上部前面には放熱特性に優れた金属（例えば鉄）からなる支持板１２ｂが設けられている。また、支持板１２ｂには、本体２に設けられた切欠１３ａ、・・、１３ｂに挿入可能な係止爪１４ａ、１４ａが一体的に形成されている。
（電気ストーブの高さを低位置にセットする場合）
本体２の高さを低く設置する場合について、図３、図５（ａ）を用いて説明する。
【００２２】
本体２の高さを低くセットする際にはまず、本体２の上方の切欠１３ａ、１３ａを係止爪１４ａ、１４ａに挿入し係止する。そのとき、スタンド３の固定ネジ１７の位置と本体２のネジ孔１５ａとの位置合わせがなされる。固定ネジ１７をネジ挿入孔１６を介してネジ孔１５ａに挿入することにより、本体２とスタンド３とが３点で強固に固定されることにより電気ストーブ１の安定性が向上する。
【００２３】
この高さでは、通常の電気ストーブとして使用でき、使用者が床に座った姿勢で使用しやすい高さに調節されている。また、本体２の上端が取手１８の上端よりも少しだけ高い位置で固定されているため、電気ストーブの前側にいる使用者から取手１８が持ちやすくなる。
（電気ストーブの高さを高位置にセットする場合）
本体２の高さを高く設置する場合について、図３、図５（ｂ）を用いて説明する。
【００２４】
本体の高さを高くセットする際には、まず本体中ほどの切欠１３ｂ、１３ｂを係止爪１４ａ、１４ａに挿入し係止する。そのとき、低くセットするときと同様にスタンド３の固定ネジ１７の位置と本体のネジ孔１５ｂの位置とは近接しており、スタンド３側より固定ネジ１７をネジ挿入孔１６を介してネジ孔１５ｂに挿入して螺合することで、本体とスタンド３との固定が強固となり、本体とスタンドとを固定した電気ストーブ１の安定性が向上する。
【００２５】
この高さは、イスに座った姿勢で足元だけではなく、太ももの辺りまで暖められ、また立っている姿勢のときにも採暖できる。
【００２６】
なお、本発明は実施例において自立阻止手段として底板下方に突出するダボを説明したが、底板に下方に突出する突条、或いは底板自体を下方に湾曲させても同様である。
【図面の簡単な説明】
【００２７】
【図１】図１は本発明の実施例に係る電気ストーブの側面断面図である。
【図２】図２は同じく斜視図である。
【図３】図３（ａ）は同じく背面分解斜視図で、図３（ｂ）は同じく分解説明図である。
【図４】図４（ａ）は図３（ａ）のＰ部分の拡大図で、図４（ｂ）は図３（ａ）のＴ部分の拡大図である。
【図５】図５（ａ）は同じくヒータ本体を高位置にセットした場合の側面図で、図５（ｂ）は同じくヒータ本体を低位置にセットした場合の側面図である。
【符号の説明】
【００２８】
１：電気ストーブ
２：ヒータ本体（本体）
３：スタンド
４：遠赤外線ヒータ（ヒータ）
５：反射板
６：ガード
７：スイッチ
８： 底板
９：自立阻止手段（ダボ）
１０：転倒スイッチ
１１：電源コード
１２ａ：背面板
１２ｂ：支持板
１３ａ、１３ａ、１３ｂ、１３ｂ：切欠
１４ａ、１４ａ：係止爪
１５ａ、１５ｂ：ネジ孔
１６：ネジ挿入孔
１７：固定ネジ
１８：取手
１９：立垂部
【図１】
2010025380.tif 000003
【図２】
2010025380.tif 000004
【図３】
2010025380.tif 000005
【図４】
2010025380.tif 000006
【図５】
2010025380.tif 000007